(57)【要約】      （修正有）【課題】男性用小便器としてのデザイン性の向上を図り、洗浄水循環型小便器としても好適に使用でき、全体を軽量化して設置などの容易化を図り、ボウル部の前壁（タレ受け）の内側部分の洗浄効果を高めて、常に綺麗な状態を維持できる小便器を提供する。【解決手段】小便器本体１の使用者側に開口するボウル部２の尿水受け面２ｗの上方に洗浄水を吐出する吐出口５を設け、吐出口５から吐出する洗浄水により、ボウル部２の尿水を受ける部位を洗浄する樹脂製の男性用小便器１において、尿水受け面２ｗに、上下方向および左右方向のそれぞれにおいて、それぞれの中央部が使用者側から遠ざかる方向に湾曲する湾曲面を形成し、ボウル部２の左方および右方の尿水受け面２ｗに、上下方向に沿って一対の導水凸部４を設けて導水凸部４の凸面４ａを使用者側に向けて張出させ、更に、これら導水凸部４の凸面４ａの頂部付近に、局所的に突出する突起部６を設ける。【選択図】図１
2014234621.tif 000002
【特許請求の範囲】
【請求項１】
小便器本体の使用者側に開口するボウル部の尿水受け面の上方に洗浄水を吐出する吐出口を設け、
吐出口から吐出した洗浄水により、ボウル部の尿水を受ける部位を洗浄する樹脂製の男性用小便器であって、
前記ボウル部の尿水受け面は、上下方向および左右方向のそれぞれにおいて、それぞれの中央部が使用者側から遠ざかる方向に湾曲する湾曲面とされ、
ボウル部の左方および右方の尿水受け面に、上下方向に沿って延出する一対の導水凸部を設けて、この導水凸部の凸面を使用者側に向けて張出させ、
更に、これら導水凸部の凸面の頂部付近に局所的に突出する突起部を設け、この突起部を使用者側に向けて張出させることを特徴とする樹脂製男性用小便器。
【請求項２】
突起部は、導水凸部の頂部付近に複数箇所設けられることを特徴とする請求項１に記載の樹脂製男性用小便器。
【発明の詳細な説明】
【技術分野】
【０００１】
本発明は、例えば鉄道車両や公共場所等に設置されて不特定多数の人が使用し、少量の洗浄水で小便器を洗浄することができると共に、デザイン性に富んだ樹脂製男性用小便器に関し、特に洗浄水循環式の男性用小便器として好適に使用できるものである。
【背景技術】
【０００２】
従来、男性用小便器において尿水を受ける便器ボウル内に洗浄水を流して洗浄する際、特に便器ボウルの前壁（タレ受け）の内側部分の洗浄効果を高めるため、便器ボウルの両側の側壁に沿って上下方向に凸形状の導水段部を設け、この導水段部の下端側を前壁の近傍まで延出させることで前壁の内側部分まで洗浄水を流すようにした技術（例えば、特許文献１参照。）が知られている。
【０００３】
一方、鉄道車両や船舶内などで使用する男性用小便器として、少ない洗浄水を使用して便器ボウル内を洗浄するため、使用済みの洗浄水を循環させて再度洗浄水として使用するような技術も知られており（例えば、特許文献２参照。）、このような技術では、使用済みの洗浄水をフィルターに通して異物を取り除き、薬剤を注入して殺菌、脱臭した後、再度洗浄水として吐出口から流すようにしている。
【先行技術文献】
【特許文献】
【０００４】
【特許文献１】特開２００１−１１５５３３号公報
【特許文献２】特開平７−２１６９５８号公報
【発明の概要】
【発明が解決しようとする課題】
【０００５】
ところで、公共場所等に広く使用される男性用小便器として、使用済みの洗浄水を循環させて再度洗浄水として流すような洗浄水循環型小便器を採用すれば、省資源効果が得られて望ましいが、このような洗浄水循環型小便器の場合、一度洗浄水として流した水を回収するタンクや、洗浄水を循環させるためのポンプや、薬剤を貯留する容器や、制御装置などを設置する必要があった。
しかしながら、従来型の男性用小便器、例えば特許文献１に記載されているような小便器本体における便器ボウルの尿水受け面が鉛直である場合、上記洗浄水回収タンク、ポンプ、薬剤貯留容器、制御装置等を設置する場所が制約されるという問題があった。
【０００６】
そこで、小便器本体を樹脂製とし、また、小便器本体におけるボウル部の尿水受け面を、上下方向および左右方向のそれぞれにおいて、それぞれの中央部が使用者側から遠ざかる方向に湾曲する湾曲面を有する形状とし、ボウル部の上方と下方の裏側それぞれに空洞部を形成すれば、その空洞部を利用して上記洗浄水回収タンク、ポンプ、薬剤貯留容器、制御装置等を設置することが可能となり、更に男性用小便器としてのデザイン性も向上する上、男性用小便器全体が軽量化して取り扱い易くすることができる。
ところが、このようにボウル部の尿水受け面を、上下方向および左右方向のそれぞれにおいて、それぞれの中央部が使用者側から遠ざかる方向に湾曲する湾曲面を有する形状にすると、図４に示すように、吐出口５から吐出される洗浄水が導水凸部４の下端部へ流れ難くなり、すなわち導水凸部４の下端部へ流れる前にボウル部２の中央側へ流れ落ち、そして排水口部８に流れてしまうので、特に尿水を含む異物Ｘが溜まり易い前壁（タレ受け）３の内側部分に洗浄水が流れ難くなり、綺麗に洗浄できない問題があった。
【課題を解決するための手段】
【０００７】
そこで本発明は、小便器本体の使用者側に開口するボウル部の尿水受け面の上方に洗浄水を吐出する吐出口を設け、吐出口から吐出した洗浄水により、ボウル部の尿水を受ける部位を洗浄する樹脂製の男性用小便器であって、ボウル部の尿水受け面を、上下方向および左右方向のそれぞれにおいて、それぞれの中央部が使用者側から遠ざかる方向に湾曲する湾曲面とし、ボウル部の左方および右方の尿水受け面に、上下方向に沿って延出する一対の導水凸部を設けて、この導水凸部の凸面を使用者側に向けて張出させ、更に、これら導水凸部の凸面の頂部付近に局所的に突出する突起部を設け、この突起部を使用者側に向けて張出させたことを特徴とする。
【０００８】
そして、ボウル部は、尿水受け面の上下方向および左右方向のそれぞれにおいて、それぞれの中央部が使用者側から遠ざかる方向に湾曲する湾曲面を有するようにしたので、デザイン性に富んだ形状にできると共に、従来の小便器本体のような洗浄水の吐出口が前方に垂れ下がるスカート部を有するものではないため、ボウル部に付着した汚れが発見しやすくなり、清掃等が楽に行える。
また、小便器を洗浄水循環型小便器にする場合、ボウル部の上方と下方の裏側の空洞部を利用して、洗浄水回収タンクやポンプや薬剤貯留容器や制御装置等を配置することができる。
【発明の効果】
【０００９】
ボウル部は、尿水受け面が、上下方向および左右方向のそれぞれにおいて、それぞれの中央部が使用者側から遠ざかる方向に湾曲する湾曲面を有することで、デザイン性に富んだ形状にできると共に、ボウル部に付着した汚れを発見しやすくなり、清掃等が楽に行える。
また、小便器を洗浄水循環型小便器にする場合、洗浄水回収タンクやポンプや薬剤貯留容器や制御装置等を楽に設置することができ、便利である。
また、導水凸部の凸面の頂部付近に局所的に突出する突起部を設け、その突起部を使用者側に向けて張出させることにより、尿水を含む異物が溜まり易いボウル部の前壁（タレ受け）の内側部分にも洗浄水を流すことができ、洗浄性に優れる。
【図面の簡単な説明】
【００１０】
【図１】本発明に係る樹脂製男性用小便器の斜視図である。
【図２】本発明に係る樹脂製男性用小便器の説明図で、（ａ）は正面図、（ｂ）はＡ−Ａ線断面図である。
【図３】図１のＢ−Ｂ線断面図である。
【図４】上下に湾曲する湾曲面を有するボウル部に導水凸部を設けた場合の洗浄水の流れを説明するための説明図であり、（ａ）は正面図、（ｂ）はＣ−Ｃ線断面図である。
【発明を実施するための形態】
【００１１】
本発明の実施の形態について添付した図面に基づき説明する。
本発明に係る樹脂製男性用小便器は、男性用小便器としてのデザイン性の向上を図り、洗浄水循環型小便器としても好適に適用することができ、しかも、小便器本体１を軽量化して設置などの容易化を図るとともに、図４に示すような異物Ｘなどが溜まり易いボウル部２の前壁(タレ受け)３の内側部分を洗浄でき、常に綺麗な状態を維持できる樹脂製男性用小便器を提供することを目的としている。
【００１２】
すなわち、本発明に係る樹脂製男性用小便器は、図１乃至図３に示すように、小便器本体１の使用者側に開口するボウル部２を設け、ボウル部２の尿水受け面２ｗの上方に洗浄水を吐出する吐出口５を設け、その吐出口５から吐出した洗浄水で尿水を受けるボウル部２の部位を洗浄するものであり、ボウル部２の尿水受け面２ｗは、上下方向および左右方向のそれぞれにおいて、それぞれの中央部が使用者側から遠ざかる方向に湾曲する湾曲面を有すると共に、ボウル部２の左方および右方の尿水受け面２ｗに、上下方向に沿って延出する１対の導水凸部４を設けて、この導水凸部４の凸面４ａを使用者側に向けて張出させ、更に、これら導水凸部４の凸面４ａの頂部付近に局所的に突出する突起部６を設け、この突起部６を使用者側に向けて張出させるものである。
なお、本発明でいう上方とは、ボウル部２の上下方向(鉛直方向)における最長高さの１／２部位で水平方向に分割し、その際の上領域を指す。そして、下方とは下領域を指す。
また、本発明でいう左方とは、ボウル部２の左右方向(水平方向)における最長幅の１／２部位で鉛直方向に分割し、その際の左領域を指す。そして、右方とは右領域を指す。
【００１３】
本発明のボウル部２は、小便器本体１の使用者側に開口しているものであり、ボウル部２は、尿水受け面２ｗと、洗浄水を吐出する吐出口５と、尿水やその他異物等を受ける部位と、吐出口５から吐出した洗浄水がボウル部２から外へ漏れ出さないための前壁（タレ受け）３を有する。
【００１４】
本発明の吐出口５は、洗浄水を下に向けて扇状に流出させることができるようにされている。
また、この吐出口５は、従来の男性用小便器のように洗浄水の吐出口が前方に垂れ下がるスカート部で覆われて視認し難いものではないため、例えば吐出口５周辺にゴミ等が付着しても発見されやすく、清掃等が楽である。
【００１５】
本発明のボウル部２の尿水受け面２ｗは、図１乃至図３に示すように、上下方向および左右方向のそれぞれにおいて、それぞれの中央部が使用者側から遠ざかる方向に湾曲する湾曲面を有する。
【００１６】
ところで、このようにボウル部２の上下方向および左右方向のそれぞれにおいて、それぞれの中央部が使用者側から遠ざかる方向に湾曲する湾曲面を有する男性用小便器の場合、図４に示すようにボウル部２の左方と右方の尿水受け面２ｗに、上下方向に沿って延出する一対の導水凸部４を設けたとしても、吐出口５から流出した洗浄水が導水凸部４の下端部まで流れ難くなり、結果、排水口部８の使用者側付近、例えばボウル部の前壁(タレ受け)３の内側部分に溜まった尿水を含む異物Ｘを洗浄できなくなることについては、前述の通りである。
なお、導水凸部４は、図１乃至図３に示すようにボウル部２の左方および右方の尿水受け面２ｗに、それぞれの湾曲面に沿って一対設けられて、導水凸部４の凸面４ａが使用者側に向けて張出しており、凸面４ａの上端は吐出口５よりも下に位置し、凸面４ａの下端は前壁(タレ受け)３に位置して形成されているものがよい。この際、導水凸部４の凸面４ａの頂部形状は尖っていてもアールを持っていても良いが、より好ましくは面取りされていることが好ましい。
【００１７】
本発明は、前壁(タレ受け)３の内側部分に溜まった尿水を含む異物Ｘを洗浄できるように、導水凸部４の凸面４ａの頂部付近に、使用者側に向けて張出すように局所的に突出する突起部６を設けて、導水凸部４の高さを一層高くすることで、導水凸部４の外側から内側(ボウル部２の中央側)に向けて流れる洗浄水を跳ね返すことができるようにしている。その結果、導水凸部４の下端部まで洗浄水を流すことができ、排水口部８の使用者側付近、例えばボウル部２の前壁(タレ受け)３の内側部分に溜まった尿水を含む異物Ｘを洗浄することができる。
【００１８】
ここで、具体的な突起部６を設ける位置としては、図３に示すボウル部２の上下方向および左右方向のそれぞれにおいて、それぞれの中央部が使用者側から遠ざかる方向に湾曲する湾曲面の上部側の上下方向の傾斜角度αによって定められる。
すなわち、この傾斜角度αとは、図３の縦断面に示すように小便器本体１の背面における鉛直線と、ボウル部２の上方の吐出口５付近の湾曲面に対する接線 (図３では点線)のなす角度を指す。
そして、この傾斜角度αとしては１２〜６０度が好ましく、１２度未満であると、ボウル部２の上方裏側の空洞部面積が少なくなって、例えば、洗浄水循環型小便器として適用させることが難しくなり、６０度を超えると、洗浄水がボウル部２の湾曲面に沿って流れ難くなり、男性用小便器の洗浄効果が悪くなる。
【００１９】
図１乃至図３に示す本実施例の突起部６は、１対の導水凸部４のそれぞれに、上下２箇所設けることにより、導水凸部４の外側から内側(ボウル部２の中央側)に向けて流れる洗浄水を跳ね返すことができ、ボウル部２の前壁（タレ受け）３の内側部分にも洗浄水が充分流れるようにしている。
なお、突起部６は傾斜角度αによって、１箇所でも複数箇所以上設けてもよい。
【００２０】
本発明の小便器本体１は、ジシクロペンタジエンの反応射出成形（ＲＩＭ成形）によって全体が一体に成形されているとよい。
【００２１】
ここで、ジシクロペンタジエンのＲＩＭ成形とは、ジシクロペンタジエンに触媒活性剤と添加剤を配合したＡ液と、ジシクロペンタジエンに触媒と添加剤と重合開始調整剤を配合したＢ液を混合させて重合反応させながら密閉された金型内に注入することで、化学反応を生じさせながら成形する成形法であり、ジシクロペンタジエン樹脂は、特に肉厚の厚い製品でも均一な密度で成形でき、比重が１．０３ｇ／ｃｍ３程度と比較的軽量で、衝撃強度や曲げ強さや引張強さなどの機械的強度に優れるとともに、耐候性にも優れており、しかも、熱硬化性樹脂のため熱変形が少なく、排尿時などにタバコの火などが接触しても熱損傷を起こし難く、また難燃剤を添加して難燃性を高めてもよい。
【００２２】
また、本実施例では、尿酸付着に起因する機能不具合を防止するため、小便器本体１の表面に、尿酸の付着を防止するための塗装処理を行っている。
【００２３】
また、本発明の樹脂製男性用小便器は、洗浄水循環型小便器として適用することができ、その場合、使用済みの洗浄水をフィルターに通して回収タンクで回収し、薬剤を加えて殺菌、脱臭した後、新たに吐出口から流出させることで資源の有効活用を図ることができる。
【００２４】
このため、図１や図３に示すように小便器本体１の片側側面には、小便器本体１の上部裏側の空洞部に配置する薬剤貯留容器を出し入れするための窓７を設けており、また、小便器本体１の上部裏側の空洞部には、制御装置を配置するようにするとともに、小便器本体１の下部裏側の空洞部には、フィルターや洗浄水回収タンクや洗浄水を循環させるためのポンプなどを配置するようにしてもよい。
【００２５】
そして、本発明の樹脂製男性用小便器は、上下方向および左右方向のそれぞれにおいて、それぞれの中央部が使用者側から遠ざかる方向に湾曲する湾曲面を有する尿水受け面２ｗを有するボウル部２で構成されるが故に、小便器本体１の上部裏側と下部裏側それぞれに空洞部を設けることができる。その結果、その空洞部に洗浄水を循環させて再使用するための各機器などを収容でき、樹脂製男性用小便器としての外観がスマートになり、外観性を損なうことがない。
【００２６】
以上のような小便器本体１において、便器自体が軽量であるため、取り付け作業等を楽に行うことができ、デザイン性も良好で、ボウル部２の全面が露出しているため、清掃等を楽に行うことができ、しかも、タバコの火等が接触しても熱損傷を受けにくく、また、洗浄水循環型小便器とすることで資源の有効利用が図られる。
【００２７】
そして、吐出口５から流出した洗浄水がボウル部２の湾曲面の広範囲領域(吐出口よりも下の領域)に流れ、特に、ボウル部２の前壁（タレ受け）３の内側部分にも充分洗浄水が流れるため、常に綺麗な状態を維持できる。
【００２８】
なお、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００２９】
デザイン性が良好で、少量の洗浄水でいつも綺麗な状態を維持するとともに、設置作業等が楽であるため、特に公共施設用の男性用小便器などとして広い範囲での普及が期待される。
【符号の説明】
【００３０】
１…小便器本体、２…ボウル部、２ｗ…尿水受け面、３…前壁(タレ受け)、４…導水凸部、４ａ…導水凸部の凸面、５…吐出口、６…突起部、α…傾斜角度。
【図１】
2014234621.tif 000003
【図２】
2014234621.tif 000004
【図３】
2014234621.tif 000005
【図４】
2014234621.tif 000006